(57)【特許請求の範囲】
【請求項１】
コンテンツ送信装置と、コンテンツ受信装置とを備え、
前記コンテンツ受信装置が、
デジタル映像データおよびデジタル音声データを含む第１規格データを受信する第１規格データ受信部と、
第２規格のデジタル音声データを受信する第２規格データ受信部とを有し、
前記コンテンツ送信装置が、
前記第１規格データを送信する第１規格データ送信部と、
前記第２規格のデジタル音声データを送信する第２規格データ送信部と、
前記第１規格データ送信部と前記第１規格データ受信部との間で第１規格データを送受信可能であるか否かを判断する判断手段と、
前記第１規格データ送信部と前記第１規格データ受信部との間で第１規格データを送受信可能である場合に、前記第２規格データ送信部に電源電圧を供給させず、前記第１規格データ送信部と前記第１規格データ受信部との間で第１規格データを送受信不可能である場合に、前記第２規格データ送信部に電源電圧を供給させる電源制御手段とを有する、コンテンツ送受信システム。
【請求項２】
前記コンテンツ送信装置が、
前記第１規格データ送信部と前記第１規格データ受信部との間で第１規格データを送受信可能である場合に、前記第２規格データ受信部に電源電圧を供給させない指示を、前記コンテンツ受信装置に送信し、前記第１規格データ送信部と前記第１規格データ受信部との間で第１規格データを送受信不可能である場合に、前記第２規格データ受信部に電源電圧を供給させる指示を前記コンテンツ受信装置に送信する指示送信手段をさらに有し、
前記コンテンツ受信装置が、
前記第２規格データ受信部に電源電圧を供給させない指示を受信した場合に、前記第２規格データ受信部に電源電圧を供給させず、前記第２規格データ受信部に電源電圧を供給させる指示を受信した場合に、前記第２規格データ受信部に電源電圧を供給させる第２電源制御手段をさらに有する、請求項１に記載のコンテンツ送受信システム。
【請求項３】
前記コンテンツ送信装置が、ユーザ操作に応じて第１モード又は第２モードに設定する設定手段をさらに有し、
前記電源制御手段が、前記第１規格データ送信部と前記第１規格データ受信部との間で第１規格データを送受信可能である場合に、前記第１モードに設定されていれば、前記第２規格データ送信部に電源電圧を供給させず、前記第２モードに設定されていれば、前記第２規格データ送信部に電源電圧を供給させる、請求項１または２に記載のコンテンツ送受信システム。
【請求項４】
コンテンツ送信装置と、コンテンツ受信装置とを備え、
前記コンテンツ送信装置が、
デジタル映像データおよびデジタル音声データを含む第１規格データを送信する第１規格データ送信部と、
第２規格のデジタル音声データを送信する第２規格データ送信部とを有し、
前記コンテンツ受信装置が、
前記第１規格データを受信する第１規格データ受信部と、
前記第２規格のデジタル音声データを受信する第２規格データ受信部と、
前記第１規格データ送信部と前記第１規格データ受信部との間で第１規格データを送受信可能であるか否かを判断する判断手段と、
前記第１規格データ送信部と前記第１規格データ受信部との間で第１規格データを送受信可能である場合に、前記第２規格データ受信部に電源電圧を供給させず、前記第１規格データ送信部と前記第１規格データ受信部との間で第１規格データを送受信不可能である場合に、前記第２規格データ受信部に電源電圧を供給させる電源制御手段とを有する、コンテンツ送受信システム。
【請求項５】
前記コンテンツ受信装置が、
前記第１規格データ送信部と前記第１規格データ受信部との間で第１規格データを送受信可能である場合に、前記第２規格データ送信部に電源電圧を供給させない指示を、前記コンテンツ送信装置に送信し、前記第１規格データ送信部と前記第１規格データ受信部との間で第１規格データを送受信不可能である場合に、前記第２規格データ送信部に電源電圧を供給させる指示を前記コンテンツ送信装置に送信する指示送信手段をさらに有し、
前記コンテンツ送信装置が、
前記第２規格データ送信部に電源電圧を供給させない指示を受信した場合に、前記第２規格データ送信部に電源電圧を供給させず、前記第２規格データ送信部に電源電圧を供給させる指示を受信した場合に、前記第２規格データ送信部に電源電圧を供給させる第２電源制御手段をさらに有する、請求項４に記載のコンテンツ送受信システム。
【請求項６】
前記コンテンツ受信装置が、ユーザ操作に応じて第１モード又は第２モードに設定する設定手段をさらに有し、
前記電源制御手段が、前記第１規格データ送信部と前記第１規格データ受信部との間で第１規格データを送受信可能である場合に、前記第１モードに設定されていれば、前記第２規格データ受信部に電源電圧を供給させず、前記第２モードに設定されていれば、前記第２規格データ受信部に電源電圧を供給させる、請求項４または５に記載のコンテンツ送受信システム。
【請求項７】
請求項１〜６のいずれかに記載のコンテンツ送受信システムに適用されるコンテンツ送信装置。
【請求項８】
請求項１〜６のいずれかに記載のコンテンツ送受信システムに適用されるコンテンツ受信装置。
【発明の詳細な説明】
【技術分野】
【０００１】
本発明は、コンテンツ送信装置およびコンテンツ受信装置を備えるコンテンツ送受信システムに関する。
【背景技術】
【０００２】
ＢＤプレーヤと、ＡＶアンプとを備えるコンテンツ送受信システムが利用されている。ＢＤプレーヤからＡＶアンプに映像データおよび音声データを送信する場合に、映像データおよび音声データをＨＤＭＩデータに変換し、ＨＤＭＩケーブルを介して送信する方法と、映像データはコンポーネント等のアナログ映像ケーブルを介して送信し、音声データはＳＰＤＩＦ規格の光又は同軸デジタル音声ケーブルを介して送信する方法とがある。ここで、ＨＤＭＩケーブルを介して映像データおよび音声データを含むＨＤＭＩデータを送信する場合には、ＳＰＤＩＦ規格のデジタル音声ケーブルを介してデジタル音声データを送信する必要がないが、ＢＤプレーヤが備えるＳＰＤＩＦ送信部、および、ＡＶアンプが備えるＳＰＤＩＦ受信部は常に電源電圧が供給された状態であり、無駄な消費電力が発生するという問題がある。また、ＢＤプレーヤの光デジタル音声出力端子からは光が出力された状態であり、同軸デジタル音声出力端子からは高周波信号が出力された状態であるので、ノイズが発生するという問題がある。
【０００３】
下記特許文献１には、ユーザ操作によって低消費電力モードに設定された場合には、同軸デジタル音声出力端子および光デジタル音声出力端子から音声データの出力を停止させることにより消費電力を低減させるＤＶＤプレーヤが記載されている。しかし、このＤＶＤプレーヤによると、ユーザ操作によって低消費電力モードが設定されない場合には、同軸デジタル音声出力端子および光デジタル音声出力端子から音声データが出力された状態が継続されるので、消費電力を低減できず、かつ、ノイズの発生を防止できない。
【先行技術文献】
【特許文献】
【０００４】
【特許文献１】特開２００５−９４４７１号公報
【発明の概要】
【発明が解決しようとする課題】
【０００５】
本発明は上記従来の課題を解決するためになされたものであり、その目的は、第１規格データ送信部と第１規格データ受信部との間で第１規格データを送受信する場合に、第２規格データ送信部または第２規格データ受信部の消費電力を低減させるコンテンツ送受信システムを提供することである。
【課題を解決するための手段】
【０００６】
本発明の好ましい実施携帯によるコンテンツ送受信システムは、コンテンツ送信装置と、コンテンツ受信装置とを備え、前記コンテンツ受信装置が、デジタル映像データおよびデジタル音声データを含む第１規格データを受信する第１規格データ受信部と、第２規格のデジタル音声データを受信する第２規格データ受信部とを有し、前記コンテンツ送信装置が、前記第１規格データを送信する第１規格データ送信部と、前記第２規格のデジタル音声データを送信する第２規格データ送信部と、前記第１規格データ送信部と前記第１規格データ受信部との間で第１規格データを送受信可能であるか否かを判断する判断手段と、前記第１規格データ送信部と前記第１規格データ受信部との間で第１規格データを送受信可能である場合に、前記第２規格データ送信部に電源電圧を供給させず、前記第１規格データ送信部と前記第１規格データ受信部との間で第１規格データを送受信不可能である場合に、前記第２規格データ送信部に電源電圧を供給させる電源制御手段とを有する。
【０００７】
第１規格データ送信部と第１規格データ受信部との間で第１規格データを送受信可能である場合には、第２規格データ送信部から第２規格のデジタル音声データを送信する必要がない。従って、第２規格データ送信部に電源電圧を供給しないことにより、消費電力を低減でき、かつ、ノイズの発生を防止できる。
【０００８】
好ましい実施形態においては、前記コンテンツ送信装置が、前記第１規格データ送信部と前記第１規格データ受信部との間で第１規格データを送受信可能である場合に、前記第２規格データ受信部に電源電圧を供給させない指示を、前記コンテンツ受信装置に送信し、前記第１規格データ送信部と前記第１規格データ受信部との間で第１規格データを送受信不可能である場合に、前記第２規格データ受信部に電源電圧を供給させる指示を前記コンテンツ受信装置に送信する指示送信手段をさらに有し、前記コンテンツ受信装置が、前記第２規格データ受信部に電源電圧を供給させない指示を受信した場合に、前記第２規格データ受信部に電源電圧を供給させず、前記第２規格データ受信部に電源電圧を供給させる指示を受信した場合に、前記第２規格データ受信部に電源電圧を供給させる第２電源制御手段をさらに有する。
【０００９】
第１規格データ送信部と第１規格データ受信部との間で第１規格データを送受信可能である場合には、第２規格データ受信部によって第２規格のデジタル音声データを受信する必要がない。従って、第２規格データ受信部に電源電圧を供給しないことにより、消費電力を低減でき、かつ、ノイズの発生を防止できる。
【００１０】
好ましい実施形態においては、前記コンテンツ送信装置が、ユーザ操作に応じて第１モード又は第２モードに設定する設定手段をさらに有し、前記電源制御手段が、前記第１規格データ送信部と前記第１規格データ受信部との間で第１規格データを送受信可能である場合に、前記第１モードに設定されていれば、前記第２規格データ送信部に電源電圧を供給させず、前記第２モードに設定されていれば、前記第２規格データ送信部に電源電圧を供給させる。
【００１１】
本発明の別の好ましい実施形態によるコンテンツ送受信システムは、コンテンツ送信装置と、コンテンツ受信装置とを備え、前記コンテンツ送信装置が、デジタル映像データおよびデジタル音声データを含む第１規格データを送信する第１規格データ送信部と、第２規格のデジタル音声データを送信する第２規格データ送信部とを有し、前記コンテンツ受信装置が、前記第１規格データを受信する第１規格データ受信部と、前記第２規格のデジタル音声データを受信する第２規格データ受信部と、前記第１規格データ送信部と前記第１規格データ受信部との間で第１規格データを送受信可能であるか否かを判断する判断手段と、前記第１規格データ送信部と前記第１規格データ受信部との間で第１規格データを送受信可能である場合に、前記第２規格データ受信部に電源電圧を供給させず、前記第１規格データ送信部と前記第１規格データ受信部との間で第１規格データを送受信不可能である場合に、前記第２規格データ受信部に電源電圧を供給させる電源制御手段とを有する。
【００１２】
第１規格データ送信部と第１規格データ受信部との間で第１規格データを送受信可能である場合には、第２規格データ受信部によって第２規格のデジタル音声データを受信する必要がない。従って、第２規格データ受信部に電源電圧を供給しないことにより、消費電力を低減でき、かつ、ノイズの発生を防止できる。
【００１３】
好ましい実施形態においては、前記コンテンツ受信装置が、前記第１規格データ送信部と前記第１規格データ受信部との間で第１規格データを送受信可能である場合に、前記第２規格データ送信部に電源電圧を供給させない指示を、前記コンテンツ送信装置に送信し、前記第１規格データ送信部と前記第１規格データ受信部との間で第１規格データを送受信不可能である場合に、前記第２規格データ送信部に電源電圧を供給させる指示を前記コンテンツ送信装置に送信する指示送信手段をさらに有し、前記コンテンツ送信装置が、前記第２規格データ送信部に電源電圧を供給させない指示を受信した場合に、前記第２規格データ送信部に電源電圧を供給させず、前記第２規格データ送信部に電源電圧を供給させる指示を受信した場合に、前記第２規格データ送信部に電源電圧を供給させる第２電源制御手段をさらに有する。
【００１４】
第１規格データ送信部と第１規格データ受信部との間で第１規格データを送受信可能である場合には、第２規格データ送信部から第２規格のデジタル音声データを送信する必要がない。従って、第２規格データ送信部に電源電圧を供給しないことにより、消費電力を低減でき、かつ、ノイズの発生を防止できる。
【００１５】
好ましい実施形態においては、前記コンテンツ受信装置が、ユーザ操作に応じて第１モード又は第２モードに設定する設定手段をさらに有し、前記電源制御手段が、前記第１規格データ送信部と前記第１規格データ受信部との間で第１規格データを送受信可能である場合に、前記第１モードに設定されていれば、前記第２規格データ受信部に電源電圧を供給させず、前記第２モードに設定されていれば、前記第２規格データ受信部に電源電圧を供給させる。
【発明の効果】
【００１６】
第１規格データ送信部と第１規格データ受信部との間で第１規格データを送受信する場合に、第２規格データ送信部または第２規格データ受信部の消費電力を低減させることができる。
【図面の簡単な説明】
【００１７】
【図１】ＢＤプレーヤ１０、ＡＶアンプ２０の構成を示す図である。
【図２】ＢＤプレーヤ１０の処理を示すフローチャートである。
【図３】ＡＶアンプ２０の処理を示すフローチャートである。
【図４】ＡＶアンプ２０の処理を示すフローチャートである。
【図５】ＢＤプレーヤ１０の処理を示すフローチャートである。
【図６】ＢＤプレーヤ１０の処理を示すフローチャートである。
【図７】ＢＤプレーヤ１０の処理を示すフローチャートである。
【図８】ＡＶアンプ２０の処理を示すフローチャートである。
【図９】ＡＶアンプ２０の処理を示すフローチャートである。
【発明を実施するための形態】
【００１８】
以下、本発明の好ましい実施形態によるＢＤ（ブルーレイディスク）プレーヤ（コンテンツ送信装置）、および、ＡＶアンプ（コンテンツ受信装置）を備えるコンテンツ送受信システムについて、図面を参照して具体的に説明するが、本発明はこれらの実施形態には限定されない。本例において、コンテンツは、映像（画像の意味を含む、以下同様。）データおよび／または音声データ等である。
【００１９】
図１は、ＢＤプレーヤ１０、および、ＡＶアンプ２０を示す概略ブロック図である。ＢＤプレーヤ１０およびＡＶアンプ２０は、ＨＤＭＩ（High-Definition Multimedia Interface）規格（第１規格）に準拠しており、ＨＤＭＩケーブルを介して相互に接続可能である。ＨＤＭＩは、デジタル映像データおよびデジタル音声データを一本のＨＤＭＩケーブルで伝送する規格である。また、ＢＤプレーヤ１０およびＡＶアンプ２０は、ＳＰＤＩＦ（Sony Philips Digital Interface）規格（第２規格）の（光または同軸）デジタル音声ケーブルを介して相互に接続されている。
【００２０】
［ＢＤプレーヤ１０の構成］
ＢＤプレーヤ１０は、再生部１１と、ＨＤＭＩ送信部１２と、ＳＰＤＩＦ送信部１３と、電源部１４と、電源スイッチ１５と、制御部１６と、メモリ１７と、操作部１８と、表示部１９と、ＨＤＭＩ出力端子ＯＵＴ１と、（光または同軸）デジタル音声出力端子ＯＵＴ２とを有している。
【００２１】
再生部１１は、ＢＤ（ブルーレイディスク）が挿入され、ＢＤに記録されているデジタル映像データ及びデジタル音声データを読み出して、デコードし、ＨＤＭＩ送信部１２に供給する。また、再生部１１は、読み出したデジタル音声データをＳＰＤＩＦ送信部１３に供給する。
【００２２】
ＨＤＭＩ送信部１２は、再生部１１から供給された映像データ及び／又は音声データを、制御部１６からのコマンドにより、ＨＤＭＩ規格のデータ（以下、ＨＤＭＩデータという。）に変換する。ＨＤＭＩ送信部１２は、生成したＨＤＭＩデータを、ＨＤＭＩ出力端子ＯＵＴ１を介してＡＶアンプ２０に送信する。
【００２３】
ＳＰＤＩＦ送信部１３は、再生部１１から供給された音声データを、制御部１６からのコマンドにより、ＳＰＤＩＦ規格のデジタル音声データに変換する。つまり、ＳＰＤＩＦ送信部１３は、光デジタル音声データ又は同軸デジタル音声データを生成する。ＳＰＤＩＦ送信部１３は、デジタル音声出力端子ＯＵＴ２を介して、生成したデジタル音声データをＡＶアンプ２０に送信する。
【００２４】
電源部１４は、商用交流電源電圧を整流および平滑し、直流の電源電圧を生成する。電源部１４は、ＢＤプレーヤ１０の各部に電源電圧を供給することにより、ＢＤプレーヤ１０の各部を動作させる。
【００２５】
電源スイッチ１５は、制御部１６からのコマンドにより、電源部１４からの電源電圧をＳＰＤＩＦ送信部１３に供給するか、又は、電源電圧のＳＰＤＩＦ送信部１３への供給を遮断するかを切り換える。つまり、電源スイッチ１５がオフ状態になると、ＳＰＤＩＦ送信部１３に電源電圧が供給されなくなり、電源スイッチ１５がオン状態になると、ＳＰＤＩＦ送信部１３に電源電圧が供給される。ＳＰＤＩＦ送信部１３は、電源電圧が供給されなくなると、動作を停止し、デジタル音声データの出力を停止する。
【００２６】
制御部１６は、メモリ１７に格納されているＢＤプレーヤの動作プログラム（以下の各フローチャート参照）に基づいて、ＢＤプレーヤ１０の各部を制御するものであり、例えば、マイコンやＣＰＵ等である。制御部１３は、操作部１８からの操作入力または各部からの制御信号およびデータに基づいて各種処理を実行する。制御部１６は、ＨＤＭＩのＣＥＣラインを介してＡＶアンプ２０の制御部２７に接続され、制御部２７とコマンドおよび／またはデータを送受信する。
【００２７】
制御部１６は、ＢＤプレーヤ１０とＡＶアンプ２０との間でＨＤＭＩデータを送受信可能であるか否かを判断する。例えば、ＨＤＭＩ送信部１２とＨＤＭＩ受信部２１との間でＨＤＣＰ認証に成功した場合に、ＨＤＭＩデータを送受信可能であると判断される。もしくは、ホットプラグがハイレベルになったことを検出した場合や、ＣＥＣラインを介して所定のコマンドを受信した場合に、ＨＤＭＩデータを送受信可能であると判断してもよい。ＨＤＭＩデータを送受信可能であると判断されると、制御部１６は、電源スイッチ１５をオフ状態にさせ、電源部１４からの電源電圧がＳＰＤＩＦ送信部１３に供給されないようにする。ＨＤＭＩデータを送受信可能であるので、ＳＰＤＩＦ送信部１３からデジタル音声データを出力する必要がないからである。このとき、制御部１６は、ＣＥＣラインを介してＡＶアンプ２０の制御部２７に、ＳＰＤＩＦ受信部２２への電源電圧の供給を遮断させるコマンドを送信する。
【００２８】
一方、ＨＤＭＩデータを送受信不可能であると判断されると、制御部１６は、電源スイッチ１５をオン状態にさせ、電源部１４からの電源電圧がＳＰＤＩＦ送信部１３に供給されるようにする。ＨＤＭＩデータを送受信不可能であるので、ＳＰＤＩＦ送信部１３からデジタル音声データを出力する必要があるからである。このとき、制御部１６は、ＣＥＣラインを介してＡＶアンプ２０の制御部２７に、ＳＰＤＩＦ受信部２２へ電源電圧を供給させるコマンドを送信する。
【００２９】
また、制御部１６は、ＣＥＣラインを介してＡＶアンプ２０の制御部２７からＳＰＤＩＦ送信部１３への電源電圧の供給を遮断させるコマンドを受信すると、電源スイッチ１５をオフ状態にさせ、電源部１４からの電源電圧がＳＰＤＩＦ送信部１３に供給されないようにする。一方、制御部１６は、ＣＥＣラインを介してＡＶアンプ２０の制御部２７からＳＰＤＩＦ送信部１３へ電源電圧を供給させるコマンドを受信すると、電源スイッチ１５をオン状態にさせ、電源部１４から電源電圧がＳＰＤＩＦ送信部１３に供給させる。
【００３０】
［ＡＶアンプの構成］
ＡＶアンプ２０は、ＨＤＭＩ受信部２１と、ＳＰＤＩＦ受信部２２と、音声処理部２３と、ＨＤＭＩ送信部２４と、電源部２５と、電源スイッチ２６と、制御部２７と、メモリ２８と、操作部２９と、表示部３０と、ＨＤＭＩ入力端子ＩＮ１と、（光又は同軸）デジタル音声入力端子ＩＮ２とを有している。
【００３１】
ＨＤＭＩ受信部２１は、ＨＤＭＩ入力端子ＩＮ１を介して、ＢＤプレーヤ１０から供給されたＨＤＭＩデータを受信する。ＨＤＭＩ受信部２１は、受信したＨＤＭＩデータから元の映像データ（ＨＤＭＩ変換前の映像データ）を生成し、ＨＤＭＩ送信部２４に供給する。また、ＨＤＭＩ受信部２１は、受信したＨＤＭＩデータから元の音声データを生成し、音声処理部２３に供給する。
【００３２】
ＨＤＭＩ送信部２４は、ＨＤＭＩ受信部２１から受信した映像データ（および必要に応じて音声処理部２３から供給された音声データ）をＨＤＭＩデータに変換し、図示しないＨＤＭＩ出力端子を介してディスプレイ装置に供給する。ディスプレイ装置に映像データを表示させるためである。
【００３３】
ＳＰＤＩＦ受信部２２は、デジタル音声入力端子ＩＮ２を介して、ＢＤプレーヤ１０から供給されたデジタル音声データを受信する。ＳＰＤＩＦ受信部２２は、受信したデジタル音声データを音声処理部２３に供給する。
【００３４】
電源部２５は、商用交流電源電圧を整流および平滑し、直流の電源電圧を生成する。電源部２５は、ＡＶアンプ２０の各部に電源電圧を供給することにより、ＡＶアンプ２０の各部を動作させる。
【００３５】
電源スイッチ２６は、制御部２７からのコマンドにより、電源部２５からの電源電圧をＳＰＤＩＦ受信部２２に供給するか、又は、電源電圧のＳＰＤＩＦ受信部２２への供給を遮断するかを切り換える。つまり、電源スイッチ２６がオフ状態になると、ＳＰＤＩＦ受信部２２に電源電圧が供給されなくなり、電源スイッチ２６がオン状態になると、ＳＰＤＩＦ受信部２２に電源電圧が供給される。ＳＰＤＩＦ受信部２２は、電源電圧が供給されなくなると、動作を停止し、デジタル音声データの受信を停止する。
【００３６】
音声処理部２３は、ＨＤＭＩ受信部２１又はＳＰＤＩＦ受信部２２から供給された音声データに対して、例えば、信号処理、遅延処理、イコライザ処理、音量調整処理、増幅処理、ＤＡ変換等の音声処理を実行し、外部に接続された図示しないスピーカーに音声信号を供給する。
【００３７】
制御部２７は、メモリ２８に記憶されているＡＶアンプの動作プログラム（以下のフローチャート参照。）に基づいて、ＡＶアンプ２０の各部を制御するものであり、例えば、マイコンやＣＰＵ等である。制御部２７は、操作部２９からの操作入力または各部からの制御信号およびデータに基づいて各種処理を実行する。制御部２７は、ＣＥＣラインを介してＢＤプレーヤ１０の制御部１６に接続され、制御部１６とコマンドおよびデータを送受信する。
【００３８】
制御部２７は、ＢＤプレーヤ１０とＡＶアンプ２０との間でＨＤＭＩデータを送受信可能であるか否かを判断する。ＨＤＭＩデータを送受信可能であるか否かの判定方法は上記と同様である。ＨＤＭＩデータを送受信可能であると判断されると、制御部２７は、電源スイッチ２６をオフ状態にさせ、電源部２５からの電源電圧がＳＰＤＩＦ受信部２２に供給されないようにする。ＨＤＭＩデータを送受信可能であるので、ＳＰＤＩＦ受信部２２によってデジタル音声データを受信する必要がないからである。このとき、制御部２２は、ＣＥＣラインを介してＢＤプレーヤ１０の制御部１６に、ＳＰＤＩＦ送信部１３への電源電圧の供給を遮断させるコマンドを送信する。
【００３９】
一方、ＨＤＭＩデータを送受信不可能であると判断されると、制御部２７は、電源スイッチ２６をオン状態にさせ、電源部２５からの電源電圧がＳＰＤＩＦ受信部２２に供給されるようにする。ＨＤＭＩデータを送受信不可能であるので、ＳＰＤＩＦ受信部２２によってデジタル音声データを受信する必要があるからである。このとき、制御部２７は、ＣＥＣラインを介してＢＤプレーヤ１０の制御部１６に、ＳＰＤＩＦ送信部１３へ電源電圧を供給させるコマンドを送信する。
【００４０】
また、制御部２７は、ＣＥＣラインを介してＢＤプレーヤ１０の制御部１６からＳＰＤＩＦ受信部２２への電源電圧の供給を遮断させるコマンドを受信すると、電源スイッチ２６をオフ状態にさせ、電源部２５からの電源電圧がＳＰＤＩＦ受信部２２に供給されないようにする。一方、制御部２７は、ＣＥＣラインを介してＢＤプレーヤ１０の制御部１６からＳＰＤＩＦ受信部２２へ電源電圧を供給させるコマンドを受信すると、電源スイッチ２６をオン状態にさせ、電源部２５から電源電圧がＳＰＤＩＦ受信部２２に供給させる。
【００４１】
以上の構成を有するコンテンツ送受信システムについてその動作を説明する。
［実施例１］
図２は、ＢＤプレーヤ１０の制御部１６の処理を示すフローチャートであり、図３は、ＡＶアンプ２０の制御部２７の処理を示すフローチャートである。ＢＤプレーヤ１０の制御部１６は、ＨＤＭＩ送信部１２とＨＤＭＩ受信部２１との間でＨＤＭＩデータを送受信可能であるか否かを判断する（Ｓ１）。
【００４２】
例えば、ＨＤＭＩケーブルが未接続である等の理由で、ＨＤＭＩデータを送受信不可能であると判断された場合（Ｓ１でＮＯ）、制御部１６は、電源スイッチ１５をオン状態にさせ、電源電圧をＳＰＤＩＦ送信部１３に供給させる（Ｓ２）。これにより、ＢＤプレーヤ１０は、ＨＤＭＩデータをＡＶアンプ２０に供給することができないが、代わりにＳＰＤＩＦ送信部１３からデジタル音声出力端子ＯＵＴ２を介してデジタル音声データをＡＶアンプ２０に供給することができる。続いて、制御部１６は、ＣＥＣラインを介してＡＶアンプ２０の制御部２７に、ＳＰＤＩＦ受信部２２に電源電圧を供給させるコマンドを送信する（Ｓ３）。
【００４３】
図３に示すように、ＡＶアンプ２０の制御部２７は、ＣＥＣラインを介してＢＤプレーヤ１０の制御部１６から、ＳＰＤＩＦ受信部２２に電源電圧を供給させるコマンドを受信したか否かを判断している（Ｓ１１）。受信した場合（Ｓ１１でＹＥＳ）、制御部２７は、電源スイッチ２６をオン状態にさせ、電源電圧をＳＰＤＩＦ受信部２２に供給させる（Ｓ１２）。これにより、ＡＶアンプ２０は、ＨＤＭＩデータをＢＤプレーヤ１０から受信することができないが、代わりにデジタル音声入力端子ＩＮ２を介してＳＰＤＩＦ受信部２２によってデジタル音声データをＢＤプレーヤ１０から受信することができる。
【００４４】
図２に示すように、Ｓ１において、ＨＤＭＩデータを送受信可能であると判断された場合（Ｓ１でＹＥＳ）、制御部１６は、電源スイッチ１５をオフ状態にさせ、電源電圧をＳＰＤＩＦ送信部１３に供給させないようにする（Ｓ４）。つまり、ＳＰＤＩＦ送信部１３の動作を停止させる。ＨＤＭＩデータを送受信可能であるので、ＳＰＤＩＦ送信部１３からデジタル音声出力端子ＯＵＴ２を介してデジタル音声データをＡＶアンプ２０に供給する必要がないからである。ＳＰＤＩＦ送信部１３の動作を停止させることにより、消費電力を低減させ、ノイズの発生を防止することができる。続いて、制御部１６は、ＣＥＣラインを介してＡＶアンプ２０の制御部２７に、ＳＰＤＩＦ受信部２２への電源電圧の供給を遮断させるコマンドを送信する（Ｓ５）。
【００４５】
図３に示すように、ＡＶアンプ２０の制御部２７は、ＣＥＣラインを介してＢＤプレーヤ１０の制御部１６から、ＳＰＤＩＦ受信部２２への電源電圧の供給を遮断させるコマンドを受信したか否かを判断している（Ｓ１３）。受信した場合（Ｓ１３でＹＥＳ）、制御部２７は、電源スイッチ２６をオフ状態にさせ、電源電圧をＳＰＤＩＦ受信部２２に供給させないようにする（Ｓ１４）。つまり、ＳＰＤＩＦ受信部２２の動作を停止させる。ＨＤＭＩデータを送受信可能であるので、デジタル音声入力端子ＩＮ２を介してＳＰＤＩＦ受信部２２によってデジタル音声データをＢＤプレーヤ１０から受信する必要がないからである。ＳＰＤＩＦ受信部２２の動作を停止させることにより、消費電力を低減させ、ノイズの発生を防止することができる。
【００４６】
［実施例２］
図４は、ＡＶアンプ２０の制御部２７の処理を示すフローチャートであり、図５は、ＢＤプレーヤ１０の制御部１６の処理を示すフローチャートである。図４に示すように、ＡＶアンプ２０の制御部２７は、ＨＤＭＩ送信部１２とＨＤＭＩ受信部２１との間でＨＤＭＩデータを送受信可能であるか否かを判断する（Ｓ２１）。
【００４７】
例えば、ＨＤＭＩケーブルが未接続である等の理由で、ＨＤＭＩデータを送受信不可能であると判断された場合（Ｓ２１でＮＯ）、制御部２７は、電源スイッチ２６をオン状態にさせ、電源電圧をＳＰＤＩＦ受信部２２に供給させる（Ｓ２２）。これにより、ＡＶアンプ２０は、ＨＤＭＩデータをＢＤプレーヤ１０から受信することができないが、代わりにデジタル音声入力端子ＩＮ２を介してＳＰＤＩＦ受信部２２によってデジタル音声データをＢＤプレーヤ１０から受信することができる。続いて、制御部２７は、ＣＥＣラインを介してＢＤプレーヤ１０の制御部１６に、ＳＰＤＩＦ送信部１３に電源電圧を供給させるコマンドを送信する（Ｓ２３）。
【００４８】
図５に示すように、ＢＤプレーヤ１０の制御部１６は、ＣＥＣラインを介してＡＶアンプ２０の制御部２７から、ＳＰＤＩＦ送信部１３に電源電圧を供給させるコマンドを受信したか否かを判断している（Ｓ３１）。受信した場合（Ｓ３１でＹＥＳ）、制御部１６は、電源スイッチ１５をオン状態にさせ、電源電圧をＳＰＤＩＦ送信部１３に供給させる（Ｓ３２）。これにより、ＢＤプレーヤ１０は、ＨＤＭＩデータをＡＶアンプ２０に供給することができないが、代わりにＳＰＤＩＦ送信部１３からデジタル音声出力端子ＯＵＴ２を介してデジタル音声データをＡＶアンプ２０に供給することができる。
【００４９】
図４に示すように、Ｓ２１において、ＨＤＭＩデータを送受信可能であると判断された場合（Ｓ２１でＹＥＳ）、制御部１６は、電源スイッチ２６をオフ状態にさせ、電源電圧をＳＰＤＩＦ受信部２２に供給させないようにする（Ｓ２４）。つまり、ＳＰＤＩＦ受信部２２の動作を停止させる。ＨＤＭＩデータを送受信可能であるので、デジタル音声入力端子ＩＮ２を介してＳＰＤＩＦ受信部２２によってデジタル音声データをＢＤプレーヤ１０から受信する必要がないからである。ＳＰＤＩＦ受信部２２の動作を停止させることにより、消費電力を低減させ、ノイズの発生を防止することができる。続いて、制御部２７は、ＣＥＣラインを介してＢＤプレーヤ１０の制御部１６に、ＳＰＤＩＦ送信部１３への電源電圧の供給を遮断させるコマンドを送信する（Ｓ２５）。
【００５０】
図５に示すように、ＢＤプレーヤ１０の制御部１６は、ＣＥＣラインを介してＡＶアンプ２０の制御部２７から、ＳＰＤＩＦ送信部１３への電源電圧の供給を遮断させるコマンドを受信したか否かを判断している（Ｓ３３）。受信した場合（Ｓ３３でＹＥＳ）、制御部１６は、電源スイッチ１５をオフ状態にさせ、電源電圧をＳＰＤＩＦ送信部１３に供給させないようにする（Ｓ３４）。つまり、ＳＰＤＩＦ送信部１３の動作を停止させる。ＨＤＭＩデータを送受信可能であるので、ＳＰＤＩＦ送信部１３からデジタル音声出力端子ＯＵＴ２を介してデジタル音声データをＡＶアンプ２０に供給する必要がないからである。ＳＰＤＩＦ送信部１３の動作を停止させることにより、消費電力を低減させ、ノイズの発生を防止することができる。
【００５１】
［実施例３］
本例では、ユーザ操作によって、ＢＤプレーヤ１０に、ＳＰＤＩＦ停止モードをオン状態（第１モード）またはオフ状態（第２モード）に設定することができる。従って、ユーザがＳＰＤＩＦ送信部１３およびＳＰＤＩＦ受信部２２の動作を停止させることを所望しない場合には、ＳＰＤＩＦ停止モードをオフ状態に設定することにより、ＳＰＤＩＦ送信部１３およびＳＰＤＩＦ受信部２２の動作を継続させることもできる。
【００５２】
図６は、ＢＤプレーヤ１０の制御部１６の処理を示すフローチャートである。制御部１６は、ユーザ操作によってＳＰＤＩＦ停止モードをオン状態に設定する指示が入力されたか否かを判断する（Ｓ４１）。入力された場合（Ｓ４１でＹＥＳ）、制御部１６は、ＳＰＤＩＦ停止モードをオン状態に設定する（Ｓ４２）。ここで、設定するとは、メモリ１７にその状態を記憶させることをいう（以下同様。）。続いて、制御部１６は、ユーザ操作によってＳＰＤＩＦ停止モードをオフ状態に設定する指示が入力されたか否かを判断する（Ｓ４３）。入力された場合（Ｓ４３でＹＥＳ）、制御部１６は、ＳＰＤＩＦ停止モードをオフ状態に設定する（Ｓ４４）。
【００５３】
図７は、ＢＤプレーヤ１０の制御部１６の処理を示すフローチャートであり、図２と同一の処理には同一の符号を付し、説明を援用する。なお、対応するＡＶアンプ２０の制御部２７の処理は図３と同じである。Ｓ１で、ＨＤＭＩデータを送受信可能であると判断された場合（Ｓ１でＹＥＳ）、制御部１６は、ＳＰＤＩＦ停止モードがオン状態に設定されているか否かを判断する（Ｓ６１）。ＳＰＤＩＦ停止モードがオン状態に設定されている場合（Ｓ６１でＹＥＳ）、制御部１６は、電源スイッチ１５をオフ状態にさせ、電源電圧をＳＰＤＩＦ送信部１３に供給させないようにする（Ｓ４）。続いて、制御部１６は、ＣＥＣラインを介してＡＶアンプ２０の制御部２７に、ＳＰＤＩＦ受信部２２への電源電圧の供給を遮断させるコマンドを送信する（Ｓ５）。
【００５４】
一方、ＳＰＤＩＦ停止モードがオフ状態に設定されている場合（Ｓ６１でＮＯ）、制御部１６は、電源スイッチ１５をオン状態にさせ、電源電圧をＳＰＤＩＦ送信部１３に供給させる（Ｓ２）。続いて、制御部１６は、ＣＥＣラインを介してＡＶアンプ２０の制御部２７に、ＳＰＤＩＦ２２に電源電圧を供給させるコマンドを送信する（Ｓ３）。
【００５５】
［実施例４］
本例では、ユーザ操作によって、ＡＶアンプ２０に、ＳＰＤＩＦ停止モードをオン状態またはオフ状態に設定することができる。従って、ユーザがＳＰＤＩＦ送信部１３およびＳＰＤＩＦ受信部２２の動作を停止させることを所望しない場合には、ＳＰＤＩＦ送信部１３およびＳＰＤＩＦ受信部２２の動作を継続させることができる。
【００５６】
図８は、ＡＶアンプ２０の制御部２７の処理を示すフローチャートである。制御部２７は、ユーザ操作によってＳＰＤＩＦ停止モードをオン状態に設定する指示が入力されたか否かを判断する（Ｓ５１）。入力された場合（Ｓ５１でＹＥＳ）、制御部２７は、ＳＰＤＩＦ停止モードをオン状態に設定する（Ｓ５２）。続いて、制御部２７は、ユーザ操作によってＳＰＤＩＦ停止モードをオフ状態に設定する指示が入力されたか否かを判断する（Ｓ５３）。入力された場合（Ｓ５３でＹＥＳ）、制御部２７は、ＳＰＤＩＦ停止モードをオフ状態に設定する（Ｓ５４）。
【００５７】
図９は、ＡＶアンプ２０の制御部２７の処理を示すフローチャートであり、図４と同一の処理には同一の符号を付し、説明を援用する。なお、対応するＢＤプレーヤ１０の制御部１６の処理は図５と同じである。Ｓ２１で、ＨＤＭＩデータを送受信可能であると判断された場合（Ｓ２１でＹＥＳ）、制御部２７は、ＳＰＤＩＦ停止モードがオン状態に設定されているか否かを判断する（Ｓ６２）。ＳＰＤＩＦ停止モードがオン状態に設定されている場合（Ｓ６２でＹＥＳ）、制御部１６は、電源スイッチ２６をオフ状態にさせ、電源電圧をＳＰＤＩＦ受信部２２に供給させないようにする（Ｓ２４）。続いて、制御部２７は、ＣＥＣラインを介してＢＤプレーヤ１０の制御部１６に、ＳＰＤＩＦ送信部１３への電源電圧の供給を遮断させるコマンドを送信する（Ｓ２５）。
【００５８】
一方、ＳＰＤＩＦ停止モードがオフ状態に設定されている場合（Ｓ６２でＮＯ）、制御部２７は、電源スイッチ２６をオン状態にさせ、電源電圧をＳＰＤＩＦ受信部２２に供給させる（Ｓ２２）。続いて、制御部２７は、ＣＥＣラインを介してＢＤプレーヤ１０の制御部１６に、ＳＰＤＩＦ送信部１３に電源電圧を供給させるコマンドを送信する（Ｓ２３）。
【００５９】
以上、本発明の好ましい実施形態を説明したが、本発明はこれらの実施形態には限定されない。ＨＤＭＩのＣＥＣラインの代わりに、他の通信ライン（例えば、ＩＥＥＥ１３９４、ＤＶＩ、ＬＡＮ、ＵＳＢ等）が使用されてもよい。コンテンツ送信装置は、ＢＤプレーヤに限定されず、ＤＶＤプレーヤ、セットトップボックス、ゲーム機、ＨＤＤレコーダ、ＡＶアンプ等でもよい。コンテンツ受信装置は、ＡＶアンプに限定されず、ディスプレイ装置、プロジェクタ等であってもよい。また、上記のコンテンツ送信装置およびコンテンツ受信装置の動作をコンピュータに実行させるためのプログラムおよびこれを記録した記録媒体という形態で提供されてもよい。
【産業上の利用可能性】
【００６０】
本発明は、ＤＶＤプレーヤ、ＢＤプレーヤ、ＡＶアンプ、ディスプレイ装置等に好適に採用され得る。
【符号の説明】
【００６１】
１０            ＢＤプレーヤ
１１            再生部
１２            ＨＤＭＩ送信部
１３            ＳＰＤＩＦ送信部
１４            電源部
１５            電源スイッチ
１６            制御部
１７            メモリ
１８            操作部
１９            表示部
ＯＵＴ１        ＨＤＭＩ出力端子
ＯＵＴ２        デジタル音声出力端子
２０            ＡＶアンプ
２１            ＨＤＭＩ受信部
２２            ＳＰＤＩＦ受信部
２３            音声処理部
２４            ＨＤＭＩ送信部
２５            電源部
２６            電源スイッチ
２７            制御部
２８            メモリ
２９            操作部
３０            表示部
ＩＮ１          ＨＤＭＩ入力端子
ＩＮ２          デジタル音声入力端子
【図１】
0005625456.tif 000002
【図２】
0005625456.tif 000003
【図３】
0005625456.tif 000004
【図４】
0005625456.tif 000005
【図５】
0005625456.tif 000006
【図６】
0005625456.tif 000007
【図７】
0005625456.tif 000008
【図８】
0005625456.tif 000009
【図９】
0005625456.tif 000010